(57)【要約】【課題】（１）柔らか機能、（２）豪華雰囲気機能、（３）防音機能、（４）消臭機能、（５）帯電防止機能、そして、（６）マイナスイオン機能の全てを発揮することのできるフロアマットを、簡単な構成によって提供すること。【解決手段】パイル糸を打ち込んだ基布１２の裏面側にバッキング１３を設けたフロアマット１０であって、パイル糸として、マイナスイオン発生糸１１ａ、制電糸１１ｂ、及び抗菌消臭糸１１ｃの３種類を用意し、これらのマイナスイオン発生糸１１ａ、制電糸１１ｂ、及び抗菌消臭糸１１ｃを基布１２に打ち込んだこと。【選択図】図２
2006051851.tif 000002
【特許請求の範囲】
【請求項１】
パイル糸を打ち込んだ基布の裏面側にバッキングを設けたフロアマットであって、
前記パイル糸として、マイナスイオン発生糸、制電糸、及び抗菌消臭糸の３種類を用意し、これらのマイナスイオン発生糸、制電糸、及び抗菌消臭糸を前記基布に打ち込んだことを特徴とするフロアマット。
【請求項２】
パイル糸を打ち込んだ基布の裏面側にバッキングを設けたフロアマットであって、
前記パイル糸を、マイナスイオン発生糸、制電糸、及び抗菌消臭糸の３種類の糸を束ねて加撚糸としたことを特徴とするフロアマット。
【発明の詳細な説明】
【技術分野】
【０００１】
本発明はフロアマットに関し、特に、住宅、オフィス、ホテルなどの建物の床面、或いは自動車や鉄道、船舶、飛行機などの車両の床面に敷設されるフロアマットに関するものである。
【背景技術】
【０００２】
従来より、例えば自動車床面上には、パイル糸を打ち込んだ基布と、この裏面側にバッキング層を設けたフロアマットが敷かれている。このフロアマットの縁部分はかがり糸でかがり縫いされていて、縁部分の解れの防止と共に縁部分の見栄えをよくし、当該フロアマットの意匠性を高めていた（特許文献１参照）。
【特許文献１】特開２００１−８０４０３号公報
【発明の開示】
【発明が解決しようとする課題】
【０００３】
この特許文献１のフロアマットでは、「光ファイバーを備え、比較的安価で、製造容易にして量産が可能な車両用フロアーマットを提供する」ことを目的としてなされたもので、図３及び図４に示すように、「マット本体１は、表面マット２と滑止めマット３と一体にを設け、縁５を縁かがり部６によりかがってなる。このマット本体１の溝８に光ファイバー７を配置する。縁５から出た光ファイバー７を縁かがり部６により縁５に固定する」といった構成を有したものである。
【０００４】
このため、当該特許文献１に記載されたフロアマットによれば、「縁かがり部６を利用して光ファイバー７を部分的に固定できるため、光ファイバー７の組付作業及び末端処理が容易となる（要約）」ことや、「このようにして形成した車両用フロアーマットを、例えば車両の助手席のフロアーに敷き、基端部７Ａから適宜な光を入れると、先端部７Ｂが発光し、表面マット２に点在した発光箇所により従来にない視覚効果を得ることができる（段落００３５）」といった効果が得られるものとなっている。
【０００５】
しかしながら、この特許文献１のフロアマットによれば、マットが本来的に要求されている「柔らか機能」と、光ファイバー７による「視覚的効果」以外には何等の機能も果たさない。なお、比較的薄いマット内に、図４に示したように「光ファイバー７」を配置した場合、この部分でマット本来の機能である柔らかい「足置き場」機能が阻害するのではないかと考えられる。
【０００６】
勿論、この種のフロアマットにおいて、光ファイバーによる視覚的効果を高めることそれ自体は意味があると思われるが、それよりも、もっと基本的な機能を充実させることが必要であると考えられる。
【０００７】
この種のフロアマットで要求されている基本的機能としては、現在のところ、次の（１）〜（５）の点がある。
【０００８】
（１）柔らか機能；疲れた足を乗せることになるものであるから、違和感なく足の休息が十分行えるような柔らかいものであることが必要である。
【０００９】
（２）豪華雰囲気機能；この種のマットを設置した車室内や玄関先が豪華になるとよい。
【００１０】
（３）防音機能；上記の（１）とも関連するが、例えば車室内を静かに保つことができるようにするために、音の反射を防止することは勿論、音の吸収も行えるとよい。
【００１１】
（４）消臭機能；車室のような狭い空間に置かれたり、訪れたお客様が最初に出会うことになるものであるから、車室や玄関内の臭気を吸収したり、消臭機能があるとよい。
【００１２】
（５）耐電防止機能；乾燥した冬に運転席から降りるとき、指とドアとの間に放電が発生して、指先が痛いことがある。これは、静電気が衣服に貯まっていて急に放電されるからであるが、フロアマットによってこの耐電が防止されるとよい。
【００１３】
そして、近年においては、もっと機能が要求されてきており、その中でも、特に次の機能が要求されてきている。
【００１４】
（６）マイナスイオン機能；マイナスイオンは人に対して快適感を与えてくれるが、このマイナスイオンをフロアマット自体が発生するのであれば、なおよい。
【００１５】
上記の（１）及び（２）の機能は、特許文献１の発明でもある程度は達成できると考えられるが、上記（３）〜（６）の機能も付加しようとすると、特許文献１の発明では、殆ど不可能ではないかと考えられる。
【００１６】
そこで、本発明者等は、上記の（１）〜（６）の機能の全てを備えたフロアマットとするにはどうしたらよいか、について種々検討を重ねてきた結果、本発明を完成したのである。
【００１７】
すなわち、本発明の目的とするところは、（１）柔らか機能、（２）豪華雰囲気機能、（３）防音機能、（４）消臭機能、（５）帯電防止機能、そして、（６）マイナスイオン機能の全てを発揮することのできるフロアマットを、簡単な構成によって提供することにある。
【課題を解決するための手段】
【００１８】
以上の課題を解決するために、請求項１に係る発明の採った手段は、後述する最良の形態の説明中において使用する符号を付して説明すると、
「パイル糸１１を打ち込んだ基布１２の裏面側にバッキング１３を設けたフロアマット１０であって、
パイル糸１１として、マイナスイオン発生糸１１ａ、制電糸１１ｂ、及び抗菌消臭糸１１ｃの３種類を用意し、これらのマイナスイオン発生糸１１ａ、制電糸１１ｂ、及び抗菌消臭糸１１ｃを基布１２に打ち込んだことを特徴とするフロアマット１０」
である。
【００１９】
すなわち、この請求項１に係るフロアマット１０は、図１に示すように、パイル糸１１を打ち込んだ基布１２の裏面側にバッキング１３を設けたことを基調とするものであるが、パイル糸１１として、図２に示すように、マイナスイオン発生糸１１ａ、制電糸１１ｂ、及び抗菌消臭糸１１ｃの３種類を使用するようにしたものである。
【００２０】
そして、この請求項１のフロアマット１０では、これらのマイナスイオン発生糸１１ａ、制電糸１１ｂ、及び抗菌消臭糸１１ｃをパイル糸１１として、これらのマイナスイオン発生糸１１ａ、制電糸１１ｂ、あるいは抗菌消臭糸１１ｃからなる各パイル糸１１を、図２に示すように、基布１２に打ち込んでフロアマット１０としたものである。
【００２１】
マイナスイオン発生糸１１ａとしては、種々な繊維に、珪素、鉄、アルミニウムの無機酸化物あるいはセラミックスを紛状にして添着させたり、あるいは繊維となり得る合成樹脂中に、こらの珪素、鉄、アルミニウムの無機酸化物を練り込んで糸状にしたもの等が考えられる。
【００２２】
繊維に添着あるいは練り込まれた珪素、鉄、アルミニウムの無機酸化物あるいはセラミックスは、互いに摩擦し合ったり、振動すること等の物理的刺激により、空気中あるいは当該フロアマット１０そのものが含んでいる「水」を分解してイオン化するのである。
【００２３】
本発明に係るフロアマット１０では、これを構成しているマイナスイオン発生糸１１ａが足によって踏み付けられることにより上記の物理的刺激が与えられることになり、マイナスイオンを発生することになるのである。
【００２４】
制電糸１１ｂとしては、簡単に言えば導電性を付与したものであれば何でも良く、最も簡単なものとしては、「炭素繊維」である。勿論、一般的な化学繊維中に炭素繊維を加えたものであってもよく、また、化学繊維中に銅線等の導電体を混紡するようにしてもよいものである。
【００２５】
このような制電糸１１ｂは、導電性を有するのであるから、例えばズボンの裾がこの制電糸１１ｂを有するフロアマット１０の表面に触れれば、運転者の衣服や身体に貯まった静電気は、この制電糸１１ｂを通して車体側あるいは空気中に放電されるのである。
【００２６】
また、抗菌消臭糸１１ｃとしては、繊維中に、所謂「光触媒」（二酸化チタン）を練り込んだり添着させたりしたものが考えられる。
【００２７】
この抗菌消臭糸１１ｃに対して、紫外線を含む光が当たると、表面から電子が飛び出し、抗菌消臭糸１１ｃの表面にはプラスの電荷を帯びたホール（正孔）ができる。この正孔は強い酸化力を持っており、この酸化力が消臭機能や抗菌機能を発揮することになる。
【００２８】
以上のようなマイナスイオン発生糸１１ａ、制電糸１１ｂ、及び抗菌消臭糸１１ｃを、例えば図２に示すように基布１２に打ち込んで、図１に示すようなフロアマット１０としたとき、このフロアマット１０は、各パイル糸１１による（１）の「柔らか機能」を発揮することは勿論、各パイル糸１１の毛足の長さを十分にすれば、（２）の「豪華雰囲気機能」を発揮し、しかも各パイル糸１１が稠密状態で植設されていることから、（３）の「防音機能」を発揮することになるのである。
【００２９】
そして、このフロアマット１０は、パイル糸１１としてのマイナスイオン発生糸１１ａを有しているから、このマイナスイオン発生糸１１ａによって（６）の「マイナスイオン機能 」を発揮し、パイル糸１１としての抗菌消臭糸１１ｃによって（４）の「消臭機能」を発揮し、そして、パイル糸１１としての制電糸１１ｂによって（５）の「帯電防止機能」を発揮するのである。
【００３０】
従って、この請求項１に係るフロアマット１０は、この種のマットを製造する装置や設備を全く変えないで、（１）の「柔らか機能」、（２）の「豪華雰囲気機能」、（３）の「防音機能」、（４）の「消臭機能」、（５）の「帯電防止機能」、（６）の「マイナスイオン機能 」の全てを発揮させることができるのである。
【００３１】
また、以上の課題を解決するために、請求項２に係る発明の採った手段は、後述する最良の形態の説明中において使用する符号を付して説明すると、
「パイル糸１１を打ち込んだ基布１２の裏面側にバッキング１３を設けたフロアマット１０であって、
パイル糸１１を、マイナスイオン発生糸１１ａ、制電糸１１ｂ、及び抗菌消臭糸１１ｃの３種類の糸を束ねて加撚糸としたことを特徴とするフロアマット１０」
である。
【００３２】
すなわち、この請求項２に係るフロアマット１０は、次の点以外は、請求項１のそれと同様な基本構成を有しているものである。つまり、請求項１のフロアマット１０では、各パイル糸１１のそれぞれが、マイナスイオン発生糸１１ａ、制電糸１１ｂ、及び抗菌消臭糸１１ｃとして独立したものとしてあったのであるが、この請求項２のフロアマット１０では、各パイル糸１１の一本一本が、図３に示すように、マイナスイオン発生糸１１ａ、制電糸１１ｂ、及び抗菌消臭糸１１ｃの３種類の糸を束ねて加撚糸としてあるものである。
【００３３】
このフロアマット１０の各パイル糸１１を構成しているマイナスイオン発生糸１１ａ、制電糸１１ｂ、及び抗菌消臭糸１１ｃの３種類の各糸についての機能は、上記請求項１に係るフロアマット１０中において説明したので省略するが、これらのマイナスイオン発生糸１１ａ、制電糸１１ｂ、及び抗菌消臭糸１１ｃの３種類の糸が一本のパイル糸１１として纏められているので、これを基布１２に打ち込んでフロアマット１０とする製造作業をより簡単に行える。
【００３４】
従って、この請求項２に係るフロアマット１０も、この種のマットを製造する装置や設備を全く変えないで、（１）の「柔らか機能」、（２）の「豪華雰囲気機能」、（３）の「防音機能」、（４）の「消臭機能」、（５）の「帯電防止機能」、（６）の「マイナスイオン機能 」の全てを発揮させることができるのである。
【発明の効果】
【００３５】
以上、説明した通り、本発明においては、
「パイル糸１１を打ち込んだ基布１２の裏面側にバッキング１３を設けたフロアマット１０であって、
パイル糸１１として、マイナスイオン発生糸１１ａ、制電糸１１ｂ、及び抗菌消臭糸１１ｃの３種類を用意し、これらのマイナスイオン発生糸１１ａ、制電糸１１ｂ、及び抗菌消臭糸１１ｃを基布１２に打ち込」むか、あるいは、
「パイル糸１１を、マイナスイオン発生糸１１ａ、制電糸１１ｂ、及び抗菌消臭糸１１ｃの３種類の糸を束ねて加撚糸としたこと」
にその構成上の特徴があり、これにより、この種のマットを製造する装置や設備を全く変えないで、（１）の「柔らか機能」、（２）の「豪華雰囲気機能」、（３）の「防音機能」、（４）の「消臭機能」、（５）の「帯電防止機能」、（６）の「マイナスイオン機能 」の全てを発揮するフロアマット１０を提供することができるのである。
【発明を実施するための最良の形態】
【００３６】
次に、上記のように構成した各請求項に係る発明を図面に示した最良の形態であるフロアマット１０について説明すると、図１及び図２には、実施例１に係るフロアマット１０が、また図３には、実施例２に係るフロアマット１０を構成するためのパイル糸１１が示してある。
【実施例１】
【００３７】
図１に示した実施例１に係るフロアマット１０は、図２に示したように、基布１２の裏面側にバッキング１３を設けたものである。基布１２としては、例えば不織布、織物、編物、紙、フェルトあるいはこれらの１種若しくは２種以上を組み合わせた複合体を挙げることができる。なお、基布１２の素材や構造は、特に限定されず、当該フロアマットの用途や使用状態を考慮して適宜決定すればよい。
【００３８】
この基布１２にはパイル糸１１が所定のボリュームとなるように所定間隔（図示の例では約４ｍｍ間隔）に打ち込まれていて、当該フロアマット１０の意匠性が高められている。この実施例１においては、各パイル糸１１のそれぞれを、図２に示したように、マイナスイオン発生糸１１ａ、制電糸１１ｂ、及び抗菌消臭糸１１ｃとして、これらのマイナスイオン発生糸１１ａ、制電糸１１ｂ、あるいは抗菌消臭糸１１ｃからなる各パイル糸１１を、図２に示したように、基布１２に打ち込んでフロアマット１０としたものである。
【００３９】
マイナスイオン発生糸１１ａとしては、種々な繊維に、珪素、鉄、アルミニウムの無機酸化物あるいはセラミックスを紛状にして添着させたり、あるいは繊維となり得る合成樹脂中に、こらの珪素、鉄、アルミニウムの無機酸化物を練り込んで糸状にしたもの等が考えられる。
【００４０】
繊維に添着あるいは練り込まれた珪素、鉄、アルミニウムの無機酸化物あるいはセラミックスは、上述した通り、互いに摩擦し合ったり、振動すること等の物理的刺激により、空気中あるいは当該フロアマット１０そのものが含んでいる「水」を分解してイオン化するのである。つまり、本発明に係るフロアマット１０では、そのマイナスイオン発生糸１１ａが足によって踏み付けられることにより、マイナスイオンを発生するのである。
【００４１】
制電糸１１ｂとしては、簡単に言えば導電性を付与したものであれば何でも良く、最も簡単なものとしては、「炭素繊維」である。勿論、一般的な化学繊維中に炭素繊維を加えたものであってもよく、また、化学繊維中に銅線等の導電体を混紡するようにしてもよいものである。
【００４２】
このような制電糸１１ｂは、導電性を有するのであるから、例えばズボンの裾がこの制電糸１１ｂを有するフロアマット１０の表面に触れれば、運転者の衣服や身体に貯まった静電気は、この制電糸１１ｂを通して車体側あるいは空気中に放電される。
【００４３】
また、抗菌消臭糸１１ｃとしては、繊維中に二酸化チタンを練り込んだり添着させたりしたものが考えられる。この抗菌消臭糸１１ｃに対して、紫外線を含む光が当たると、表面から電子が飛び出し、抗菌消臭糸１１ｃの表面にはプラスの電荷を帯びた正孔ができる。この正孔は強い酸化力を持っており、この酸化力が消臭機能や抗菌機能を発揮する。
【００４４】
さて、基布１２の裏面側には、図２に示したように、パイル糸１１の抜け止めを行う目的で接着剤層１６が形成されている。この接着剤層１６は、例えばウレタン系湿気硬化型接着剤やホットメルト接着剤などからなり、パイル糸１１を打ち込んだ基布１２の裏面側でパイル糸１１の抜けを止めるようになっている。なお、接着剤層１６には、例えば蜘蛛の巣状接着剤からなり、接着時の熱およびまたは圧力で薄膜化されて成るものを使用することもできる。
【００４５】
この接着剤層１６を介して基布１２の裏面側にバッキング１３が設けられている。バッキング１３は、当該フロアマット１０の補強および保形、或いはズレ止めを目的として形成してある。バッキング１３は、繊維層又は樹脂層からなる。繊維層からなるバッキング１３には、例えば不織布、フェルト、織物、或いは編物、或いはこれらの２種以上を組み合わせた複合シートからなるものを使用することができる。本実施例１ではフェルトからなるバッキング１３を採用している。
【００４６】
一方、樹脂層からなるバッキング１３には、例えばスチレンーブタンジエンースチレン共重合体、アクリルニトリルーブタジエン系共重合体、ウレタン樹脂等の高分子、スチレンーブタンジエンゴム、アクリルニトリルーブタンジエンゴム、ブタンジエンゴム、天然ゴム、イソプレンゴム等のゴム高分子、またはこれらを複数種混合した混合物などからなるものを用いることができる。
【００４７】
また、樹脂層からなるバッキング１３の場合、層を構成する樹脂に発泡剤を加えて軽量化を計ることもできる。発泡剤としては、例えば脂肪酸石けん、アルキルアリルスルホン酸ナトリウム、高級アルコール硫酸エステルナトリウム、Ｎーオクタデシルスルホコハク酸モノアミドジナトリウムなどを挙げることができる。
【００４８】
また、樹脂には必要に応じて、ポリアクリル酸ソーダ、カルボキシメチルセルローズ、タルク、水酸化アルミニウム、酸化アンチモンなどの充填剤、ポリアクリル酸ソーダ、カルボキシメチルセルローズ、ポリビニルアルコール、カゼイン、発酵多糖類などの増粘剤、トリポリリン酸ソーダ、ヘキサメタリン酸ソーダなどの分散剤を加えてもよい。
【００４９】
また、樹脂層からなるバッキング１３の場合、当該フロアマットのズレを防止するためにズレ止め用の突起を設けることもできる。
【００５０】
上記の如く構成されるフロアマット１０の縁部分を覆うように縁テープ１４が接着されている。縁テープ１４は、フロアマット１０の縁部分を覆うように接着される。この縁テープ１４は、フロアマット１０の縁部分周りの長さと縁部分を覆うだけの幅とを有する織物及び又は編物からなる。図１及び図２に示す縁テープ１４は、表編みと裏編みとからなるメリヤス地をフロアマット１０の縁部分周りの長さで縁部分を覆うだけの幅に裁断したものを用いた。
【００５１】
この縁テープ１４内側に発泡樹脂層又は繊維質層１５が設けられている。発泡樹脂層又は繊維質層１５は、縁テープ１４に対応して同じ形状に設けられている。発泡樹脂層は、ポリウレタン、ポリエチレン、ポリプロピレン、アクリロニトリル−ブタジエンゴム（ＮＢＲ）、スチレン−ブタジエンゴム（ＳＢＲ）、スチレン−ブタジエン−スチレンゴム（ＳＢＳ）などの高分子の１種若しくは２種以上を素材としており、これらを従来公知の発泡成形方法を用いて発泡成形したものである。繊維質層は、例えばフェルト、不織布、紙、織物、編物、或いはこれらの複合物から選ばれる１種からなるものである。図示の例では、Ｓフロアマット１０Ｓを発泡成形した発泡樹脂層を用いた。
【００５２】
なお、発泡樹脂層は、発泡成形後に縁テープ１４の形状に裁断したものを縁テープ１４内側に接着するほかに、縁テープ１４の内側に樹脂を塗布しておき、テープ１４上で発泡成形させる方法を採ることもできる。
【００５３】
このフロアマット１０にあっては、内側に発泡樹脂層又は繊維質層１５を設けた縁テープ１４をフロアマット１０周りの縁部分を覆うように接着したので、フロアマット１０の縁部分は発泡樹脂層又は繊維質層１５の分だけ盛り上がりボリューム感が増し、より高級感が高まることになる。
【００５４】
また、このフロアマット１０にあっては、フロアマット１０周りの縁部分に縁テープ１４を接着するため、縁テープ１４の表裏の縁ライン（パイル糸端末の打ち込みライン）が、縁テープ１４をフロアマット１０周りの縁部分に縫着する場合のように不揃いとなったり、反りが生じたりすることがなく直線状となるので、美観的にも大変に美しい縁ラインとなる。
【００５５】
なお、縁テープ１４をフロアマット１０周りの縁部分に接着する場合、接着時に縁テープ１４及び又はフロアマット１０周りの縁部分に接着剤を塗布して行っても良いが、予め縁テープ１４内側の発泡樹脂層又は繊維質層１５に接着剤を塗布しておくこともできる。
【００５６】
また、例えばＥＶＡ（エチレン−酢酸ビニル共重合体）樹脂などの接着性樹脂を用い、これにアゾ化合物、ニトロソ化合物、ヒドラジン誘導体及び重炭酸塩などの熱分解型発泡剤を加えて発泡成形した発泡樹脂層を用いたり、構成繊維中にポリエチレンやポリエステルなどの熱接着性繊維を含む繊維質材料を用いたりすることもでき、この場合、縁テープ１４でフロアマット１０周りの縁部分を覆い、この状態で熱プレスするだけで当該縁テープ１４のフロアマット１０周りの縁部分への接着が完了することから、より効率的である。
【実施例２】
【００５７】
図３には、実施例２に係るフロアマット１０を構成しているパイル糸１１の部分拡大図が示してあるが、このパイル糸１１を使用して構成した実施例２のフロアマット１０は、次の点以外は、実施例１のそれと同様な基本構成を有しているものである。
【００５８】
つまり、実施例１のフロアマット１０では、図２に示したように、各パイル糸１１のそれぞれが、マイナスイオン発生糸１１ａ、制電糸１１ｂ、及び抗菌消臭糸１１ｃとして独立したものとしてあったのであるが、この実施例２のフロアマット１０では、各パイル糸１１の一本一本が、図３に示したように、マイナスイオン発生糸１１ａ、制電糸１１ｂ、及び抗菌消臭糸１１ｃの３種類の糸を束ねて加撚糸としたものである。
【００５９】
このフロアマット１０の各パイル糸１１を構成しているマイナスイオン発生糸１１ａ、制電糸１１ｂ、及び抗菌消臭糸１１ｃの３種類の各糸についての機能は、上記実施例１のフロアマット１０について説明したので省略するが、これらのマイナスイオン発生糸１１ａ、制電糸１１ｂ、及び抗菌消臭糸１１ｃの３種類の糸が一本のパイル糸１１として纏められているので、これを基布１２に打ち込んでフロアマット１０とする製造作業をより簡単に行える。
【図面の簡単な説明】
【００６０】
【図１】本発明のフロアマットを示す斜視図である。
【図２】同フロアマットの要部拡大断面図である。
【図３】実施例２に係るパイル糸の部分拡大図である。
【図４】従来のフロアマットの部分破断斜視図である。
【図５】図４に示したフロアマットの部分拡大断面図である。
【符号の説明】
【００６１】
１０    フロアマット
１１    パイル糸
１１ａ  マイナスイオン発生糸
１１ｂ  制電糸
１１ｃ  抗菌消臭糸
１２    基布
１３    バッキング
１４    テープ
１５    発泡樹脂層又は繊維質層
１６    接着剤層
【図１】
2006051851.tif 000003
【図２】
2006051851.tif 000004
【図３】
2006051851.tif 000005
【図４】
2006051851.tif 000006
【図５】
2006051851.tif 000007